(57)【要約】【課題】ある時点からある時点までの予測電圧値、予測電流値を用いる高周波部品の製造方法において、その演算時間の無駄を省くことである。【解決手段】モデルの給電ポイントに信号を印加した場合において、この給電ポイントの電圧が変化することを想定した場合に、給電ポイントにおける時点１０から時点１１までの電圧を時間ごとに算出して演算電圧値群１２Ｖとし、これを用いて周波数領域の予測電圧値２３Ｖを算出し、次に演算電圧値群１２Ｖ、１４Ｖを用いて周波数領域の予測電圧値群２４Ｖを算出する。この２つの予測インピ−ダンスを比較して誤差インピ−ダンス値を算出し、この誤差インピ−ダンス値が基準値未満である場合には、演算インピ−ダンスあるいは予測インピ−ダンスを用いてモデルの特性評価をする。【選択図】図３０
2008263420.tif 000002
【特許請求の範囲】
【請求項１】
モデルの給電ポイントに信号を印加した場合において、この給電ポイントの電圧が変化することを想定した場合に、前記給電ポイントにおける第１の時点から第２の時点までの電圧を時間ごとに算出して第１の演算電圧値群とし、次に前記第１の演算電圧値群を用いて第２の時点から第３の時点までの電圧を時間ごとに予測して第１の予測電圧値群を算出するとともに前記第２の時点から前記第３の時点までの電圧を時間ごとに算出して第２の演算電圧値群を算出し、その後前記第１の演算電圧値群及び前記第２の演算電圧値群から算出した演算値と前記第１の演算電圧値群及び前記第1の予測電圧値群から算出した予測値とを比較して誤差値を算出し、この誤差値が基準値未満である場合には、前記演算値あるいは前記予測値を用いて、前記モデルの特性評価をする高周波部品の製造方法。
【請求項２】
モデルの給電ポイントに信号を印加した場合において、この給電ポイントの電流が変化することを想定した場合に、前記給電ポイントにおける第１の時点から第２の時点までの電流を時間ごとに算出して第１の演算電流値群とし、次に前記第１の演算電流値群を用いて第２の時点から第３の時点までの電流を時間ごとに予測して第１の予測電流値群を算出するとともに前記第２の時点から前記第３の時点までの電流を時間ごとに算出して第２の演算電流値群を算出し、その後前記第1の演算電流値群及び前記第２の演算電流値群から算出した演算値と前記第1の演算電流値群及び前記第1の予測電流値群から算出した予測値とを比較して誤差値を算出し、この誤差値が基準値未満である場合には、前記演算値あるいは前記予測値を用いて、前記モデルの特性評価をする高周波部品の製造方法。
【請求項３】
モデルの給電ポイントに信号を印加した場合において、この給電ポイントの電圧あるいは電流が変化することを想定した場合に、前記給電ポイントにおける第１の時点から第２の時点までの電圧、電流を時間ごとに算出して第１の演算電圧値群、第１の演算電流値群とし、次に前記第１の演算電圧値群を用いて第２の時点から第３の時点までの電圧を時間ごとに予測して第１の予測電圧値群を算出するとともに前記第２の時点から前記第３の時点までの電圧を時間ごとに算出して第２の演算電圧値群を算出し、前記第１の演算電流値群を用いて第2の時点から第３の時点までの電流を時間ごとに予測して第１の予測電流値群を算出するとともに前記第２の時点から前記第３の時点までの電流を時間ごとに算出して第２の演算電流値群を算出し、その後前記第1の演算電圧値群、前記第1の演算電流値群、前記第２の演算電圧値群、及び前記第２の演算電流値群から算出した演算値と前記第1の演算電圧値群、前記第1の演算電流値群、前記第1の予測電圧値群、及び前記第1の予測電流値群から算出した予測値とを比較して誤差値を算出し、この誤差値が基準値未満である場合には、前記演算値あるいは前記予測値を用いて、前記モデルの特性評価をする高周波部品の製造方法。
【請求項４】
前記演算値は、演算インピ−ダンスであり、前記予測値は予測インピ−ダンスであり、前記誤差値は誤差インピ−ダンス値である請求項１乃至３のうちのいずれか１つに記載の高周波部品の製造方法。
【請求項５】
前記演算値を用いて前記モデルの特性評価をする請求項１乃至３のうちのいずれか１つに記載の高周波部品の製造方法。
【請求項６】
モデルの給電ポイントに信号を印加した場合において、この給電ポイントの電圧が変化することを想定した場合に、前記給電ポイントにおける第１の時点から第２の時点まで電圧を時間ごとに算出して第１の演算電圧値群とし、次に、第１の演算電圧値群を基に電圧の周波数成分を予測しこれを第１予測電圧値とし、前記第１予測電圧値を基に前記給電ポイントの演算値を算出し、これを第１予測値と定め、その後前記第２の時点から第３の時点までの電圧を時間ごとに算出して第２の演算電圧値群とし、前記第１の演算電圧値群と前記第２の演算電圧値群を基に再び電圧の周波数成分を予測し、これを第２予測電圧値とし、前記第２予測電圧値をもとに前記給電ポイントの演算値を算出し、これを第２予測値と定め、前記第１予測値と前記第２予測値との誤差値を計算し、これが基準値未満である場合には前記第１予測値あるいは前記第２予測値を用いて前記モデルの特性評価をする高周波部品の製造方法。
【請求項７】
モデルの給電ポイントに信号を印加した場合において、この給電ポイントの電流が変化することを想定した場合に、前記給電ポイントにおける第１の時点から第２の時点まで電流を時間ごとに算出して第１の演算電流値群とし、次に、第１の演算電流値群を基に電流の周波数成分を予測しこれを第１予測電流値とし、前記第１予測電流値を基に前記給電ポイントの演算値を算出し、これを第１予測値と定め、その後前記第２の時点から第３の時点までの電流を時間ごとに算出して第２の演算電流値群とし、前記第１の演算電流値群と前記第２の演算電流値群を基に再び電流の周波数成分を予測し、これを第２予測電流値とし、前記第２予測電流値をもとに前記給電ポイントの演算値を算出し、これを第２予測値と定め、前記第１予測値と前記第２予測値との誤差値を計算し、これが基準値未満である場合には前記第１予測値あるいは前記第２予測値を用いて前記モデルの特性評価をする高周波部品の製造方法。
【請求項８】
モデルの給電ポイントに信号を印加した場合において、この給電ポイントの電圧あるいは電流が変化することを想定した場合に、前記給電ポイントにおける第１の時点から第２の時点まで電圧、電流を時間ごとに算出して第１の演算電圧値群、第１の演算電流値群とし、次に、第１の演算電流値群を基に電流の周波数成分を予測しこれを第１予測電流値とし、また第２の演算電流値群を基に電流の周波数成分を予測しこれを第２予測電流値とし、前記第１予測電圧値及び前記第１予測電流値を基に前記給電ポイントの演算値を算出し、これを第１予測値と定め、その後前記第２の時点から第３の時点までの電圧、電流を時間ごとに算出して第２の演算電圧値群、第２の演算電流値群とし、前記第１の演算電圧値群及び前期第１の演算電流値群と、前記第２の演算電圧値群及び前期第２の演算電流値群とを基に再び電圧、電流の周波数成分を予測し、これを第２予測電圧値、第２予測電流値とし、前記第２予測電圧値及び第２予測電流値をもとに前記給電ポイントの演算値を算出し、これを第２予測値と定め、前記第１予測値と前記第２予測値との誤差値を計算し、これが基準値未満である場合には前記第１予測値あるいは前記第２予測値を用いて前記モデルの特性評価をする高周波部品の製造方法。
【請求項９】
前記演算値は、演算インピ−ダンスであり、前記予測値は予測インピ−ダンスであり、前記誤差値は誤差インピ−ダンス値である請求項６乃至８のうちのいずれか１つに記載の高周波部品の製造方法。
【請求項１０】
前記第２の予測値を用いて前記モデルの特性評価をする請求項６乃至９のうちのいずれか１つに記載の高周波部品の製造方法。
【発明の詳細な説明】
【技術分野】
【０００１】
本発明は、高周波部品の製造方法に関する。
【背景技術】
【０００２】
従来この種の高周波部品の製造方法、例えば携帯電話の製造方法は、まず、図１に示すごとく解析空間１内に仮想の携帯電話２を配置する。次に、携帯電話２における給電部２Ａからアンテナ２Ｂへの給電がなされた時点からの解析空間内における電磁エネルギ−、及び給電部２Ａにおける電圧、電流値の測定を開始する。その後、図２に示すごとく、給電開始時点である時点３から時点４までの電磁エネルギ−を電磁界シミュレ−ションにより時間ごとに算出して演算値群５を算出するとともに、図３、図４に示すごとく演算電圧値群５Ｖ、演算電流値群５Ｉを同様に電磁界シミュレ−ションにより時間ごとに算出する。
【０００３】
次に、図２に示すごとく演算値群５を用いて時点４以降の電磁エネルギ−の予測値６を時間ごとに算出していくとともに、図５に示すごとく、演算電圧値群５Ｖを用いて予測電圧値６Ｖを時間ごとに算出し続け、図６に示すごとく、演算電流値群５Ｉを用いて予測電流値６Ｉを時間ごとに算出し続ける。そして、図２に示すごとく予測値６が基準終了値７未満になった時点８で予測値６、予測電圧値６Ｖ、予測電流値６Ｉの算出を終了する。
【０００４】
その後、演算電圧値群５Ｖ、演算電流値群５Ｉ及び、予測電圧値６Ｖ、予測電流値６Ｉを用いて図７に示すようなインピ−ダンス９を算出し、このインピ−ダンス９に基づいてＳパラメ−タを算出して特性評価を行い、この特性評価に基づいてアンテナ形状を決定し、携帯電話を製造していた。なお、この出願に関する発明の先行技術文献情報としては、例えば、非特許文献１が知られている。
【０００５】
【非特許文献１】Arnab K. Shaw et al., “ARMA-Based Time-Signature Estimator for Analyzing Resonant Structures by the FDTD Method”, IEEE TRANSACTIONS ON ANTENNAS AND PROPAGATION, VOL. 49, NO.3, MARCH 2001, pp. 327-339.
【発明の開示】
【発明が解決しようとする課題】
【０００６】
このような、ある時点からある時点までの予測電圧値、予測電流値を用いる従来の高周波部品の製造方法では、その演算時間に多く無駄が生じていた。すなわち、製造する高周波部品の形状等によって、電圧値、電流値の収束時点が異なるため、最適な特性評価を行うには十分に長い演算時間を用意する必要がある。そうすると、多くの場合、電磁エネルギ−の予測値が基準終了値未満になるまでに電圧値、電流値が収束しており、その結果として、その収束時点から電磁エネルギ−の予測値が基準終了値になるまでの間の電圧値、電流値の算出時間が無駄となっていた。
【０００７】
そこで、本発明は、ある時点からある時点までの予測電圧値、予測電流値を用いる高周波部品の製造方法において、その演算時間の無駄を省くことを目的とする。
【課題を解決するための手段】
【０００８】
そして、この目的を達成するために本発明は、モデルの給電ポイントに信号を印加した場合において、この給電ポイントの電圧が変化することを想定した場合に、前記給電ポイントにおける第１の時点から第２の時点まで電圧を時間ごとに算出して第１の演算電圧値群とし、次に、第１の演算電圧値群を基に電圧の周波数成分を予測しこれを第１予測電圧値とする．第１予測電圧値を基にインピ−ダンスを算出し、これを第１予測インピ−ダンスとする．その後第２の時点から第３の時点までの電圧を時間ごとに算出して第２の演算電圧値群とする．第１と第２の演算値群を基に再び電圧の周波数成分を予測しこれを第２予測電圧値とする．第２予測演算値をもとにインピ−ダンスを算出し、これを第２予測インピ−ダンスとする．第１予測インピ−ダンスと第２予測インピ−ダンスの誤差値を計算し、これが基準値未満である場合には前記第１予測インピ−ダンスあるいは前記第２予測インピ−ダンスを用いて、前記モデルの特性評価をする高周波部品の製造方法としたものである。
【発明の効果】
【０００９】
本発明の高周波部品の製造方法は、電圧、電流から算出したインピ−ダンスの予測値1と予測値２とを比較して誤差値を算出し、この誤差値が基準値未満となった時点で予測値、演算値の算出を終了し、モデルの特性評価をする高周波部品の製造方法としたため、必要最低限の演算時間でモデルの特性を評価することができる。
【発明を実施するための最良の形態】
【００１０】
（実施の形態１）
以下、本発明の実施の形態１に係る高周波部品の製造方法について図面を参照しながら説明する。本実施の形態では、携帯電話を例にして、以下説明する。
【００１１】
まず、図１に示すごとく解析空間１内に仮想の携帯電話２を配置する。次に、携帯電話２における給電部２Ａからアンテナ２Ｂへの給電がなされた時点からの給電部２Ａにおける電圧、電流値の測定を開始する。ここで、給電部２Ａからアンテナ２Ｂへは、連続的に変化する電圧を印加している。その後、図８、図９に示すごとく、電磁界シミュレ−ションにおける給電開始時である時点１０から時点１１までの電圧、電流を時間ごとに算出して演算電圧値群１２Ｖ、演算電流値群１２Ｉを算出する。
【００１２】
次に、図１０に示すごとく、演算電圧値群１２Ｖを用い、電圧を時間領域で予測して予測電圧値群１３Ｖを算出するとともに、図１１に示すごとく時点１１から時点１３までの電圧を電磁界シミュレ−ションにより時間ごとに算出してこれを演算電圧値群１４Ｖとし、図１４に示すごとく演算電圧値群１２Ｖ、予測電圧値群１３Ｖを用いて電圧を周波数領域で予測して予測電圧値群１５Ｖを算出する。同時に、図１２に示すごとく、演算電流値群１２Ｉを用い、電流を時間領域で予測して予測電流値群１３Ｉを算出するとともに、図１３に示すごとく時点１１から時点１３までの電流を電磁界シミュレ−ションにより時間ごとに算出してこれを演算電流値群１４Ｉとし、図１５に示すごとく演算電流値群１２Ｉ、予測電流値群１３Ｉを用いて電流を周波数領域で予測して予測電流値群１５Ｉを算出する。
【００１３】
その後、図１６に示すごとく、図１４、図１５に示した予測電圧値群１５Ｖ、予測電流値群１５Ｉを用いて予測インピ−ダンス１６を算出するとともに、図１７に示すごとく、図１１、図１３に示した演算電圧値群１４Ｖ、演算電流値群１４Iを用いて演算インピ−ダンス１７を算出する。そして、予測インピ−ダンス１６と演算インピ−ダンス１７との差の2乗を全ての周波数ポイントにおいて積分するなどして、誤差インピ−ダンス値を算出する。ここで、電圧波形あるいは電流波形が過渡状態にある場合には、予測電圧値群１３Ｖと演算電圧値群１４Ｖ、あるいは予測電流値群１３Ｉと演算電流値群１４Ｉが大きく異なる結果となってしまう。そのため、予測電圧値群１３Ｖ、予測電流値群１３Ｉを用いて算出された予測インピ−ダンス１６の波形と、演算電圧値群１４Ｖ、演算電流値群１４Ｉを用いて算出された演算インピ−ダンス１７の波形とのずれも大きくなり、結果として誤差値が大きくなる。この誤差値がある基準値よりも大きい場合には、さらに以下のような工程に移る。
【００１４】
次に、図１８に示すごとく、演算電圧値群１２Ｖ、演算電圧値群１４Ｖに続けて時点１３から時点１８までの電圧を時間ごとに算出して演算電圧値群１９Ｖを算出する。同時に、図１９に示すごとく、演算電流値群１２Ｉ、演算電流値群１４Ｉに続けて時点１３から時点１８までの電流を時間ごとに算出して演算電流値群１９Iを算出する。その後、図２０に示すごとく、図１８、図１９に示した演算電圧値群１２Ｖ、１４Ｖ、１９Ｖ、演算電流値群１２Ｉ、１４Ｉ、１９Ｉを用いて演算インピ−ダンス２０を算出するとともに、図２１、図２２に示した演算電圧値群１２Ｖ、１４Ｖ、予測電圧値群２２Ｖ、演算電流値群１２Ｉ、１４Ｉ、予測電流値群２２Ｉを用いて予測インピ−ダンス２１を算出する。
【００１５】
そして、演算インピ−ダンス２０と予測インピ−ダンス２１との差の2乗を全ての周波数ポイント積分するなどして、誤差インピ−ダンス値を算出する。ここで、電圧波形、電流波形が定常状態にある場合には、予測電圧値群２２Ｖと演算電圧値群１９Ｖとの差、及び予測電流値群２２Ｉと演算電流群値１９Ｉとの差が非常に小さい値となる。そのため、予測電圧値群２２Ｖ、予測電流値群２２Ｉを用いて算出された予測インピ−ダンス２１の波形と、演算電圧値群１９Ｖ、演算電流値群１９Ｉを用いて算出された演算インピ−ダンス２０の波形とのずれも小さくなり、結果として誤差値が小さくなる。この誤差値が基準値未満である場合には、電圧波形、及び電流波形が定常状態になったものとみなし、電圧、電流に関する予測値、演算値の算出を終了する。
【００１６】
次に、この演算インピ−ダンス２０あるいは予測インピ−ダンス２１からＳパラメ−タを算出し、このＳパラメ−タからアンテナの特性評価を行い、この特性評価に基づきアンテナの形状を決定して携帯電話を製造する。このような製造方法、即ち電圧、電流から算出したインピ−ダンスに関する演算インピ−ダンス２０と予測インピ−ダンス２１とを比較して誤差インピ−ダンス値を算出し、この誤差値が基準値未満となった時点を電圧波形、及び電流波形自体が定常状態になった時点とみなし、この時点で電圧、電流に関する予測値、演算値の算出を終了し、モデルの特性評価をする高周波部品の製造方法としたため、電圧値、電流値が過渡状態にある状態での演算値群に基づきその形状を決定してしまうことがなく、必要最低限の演算時間でモデルの特性を評価することができる。
【００１７】
また、Ｓパラメ−タの算出に直接用いるインピ−ダンスを用いて、予測値、演算値の算出終了時点を決定する方法としたため、より最適な特性を有する携高周波部品を製造することができる。その結果として、より最適な特性を有する高周波部品を製造することができる。
【００１８】
（実施の形態２）
以下、本発明の実施の形態２に係る高周波部品の製造方法について図面を参照しながら説明する。本実施の形態では、携帯電話を例にして、以下説明する。
【００１９】
まず、図１に示すごとく解析空間１内に仮想の携帯電話２を配置する。次に、携帯電話２における給電部２Ａからアンテナ２Ｂへの給電がなされた時点からの給電部２Ａにおける電圧、電流値の測定を開始する。ここで、給電部２Ａからアンテナ２Ｂへは、連続的に変化する電圧を印加している。その後、図８、図９に示すごとく、電磁界シミュレ−ションにおける給電開始時である時点１０から時点１１までの電圧、電流を時間ごとに算出して演算電圧値群１２Ｖ、演算電流値群１２Ｉを算出する。
【００２０】
次に、図２３に示すごとく、演算電圧値群１２Ｖを用い、電圧を周波数領域で予測して予測電圧値群２３Ｖを算出するとともに、図１１に示すごとく時点１１から時点１３までの電圧を電磁界シミュレ−ションにより時間ごとに算出してこれを演算電圧値群１４Ｖとし、図２４に示すごとく演算電圧値群１２Ｖ、１４Ｖを用いて電圧を周波数領域で予測して予測電圧値群２４Ｖを算出する。同時に、図２５に示すごとく、演算電流値群１２Ｉを用い、電流を周波数領域で予測して予測電流値群２３Ｉを算出するとともに、図１３に示すごとく時点１１から時点１３までの電流を電磁界シミュレ−ションにより時間ごとに算出してこれを演算電流値群１４Ｉとし、図２６に示すごとく演算電流値群１２Ｉ、１４Ｉを用いて電流を周波数領域で予測して予測電流値群２４Ｉを算出する。
【００２１】
その後、図２７に示すごとく、図２３、図２５に示した予測電圧値群２３Ｖ、予測電流値群２３Ｉを用いて予測インピ−ダンス２５を算出するとともに、図２４、図２６に示した予測電圧値群２４Ｖ、予測電流値群２４Iを用いて予測インピ−ダンス２６を算出する。そして、予測インピ−ダンス２５と予測インピ−ダンス２６との差の2乗を全ての周波数ポイントにおいて積分するなどして、誤差インピ−ダンス値を算出する。ここで、電圧波形あるいは電流波形が過渡状態にある場合には、予測電圧値群２３Ｖと予測電圧値群２４Ｖ、あるいは予測電流値群２３Ｉと予測電流値群２４Ｉが大きく異なる結果となってしまう。そのため、予測電圧値群２３Ｖ、予測電流値群２３Ｉを用いて算出された予測インピ−ダンス２５の波形と、予測電圧値群２４Ｖ、予測電流値群２４Ｉを用いて算出された予測インピ−ダンス２６の波形とのずれも大きくなり、結果として誤差値が大きくなる。この誤差値がある基準値よりも大きい場合には、さらに以下のような工程に移る。
【００２２】
次に、図１８に示すごとく、演算電圧値群１２Ｖ、演算電圧値群１４Ｖに続けて時点１３から時点１８までの電圧を時間ごとに算出して演算電圧値群１９Ｖを算出し、図２８に示すごとく演算電圧値群１２Ｖ、１４Ｖ、１９Ｖを用いて電圧を周波数領域で予測して予測電圧値群２７Ｖを算出する。同時に、図１９に示すごとく、演算電流値群１２Ｉ、演算電流値群１４Ｉに続けて時点１３から時点１８までの電流を時間ごとに算出して演算電流値群１９Ｉを算出し、図２９に示すごとく演算電流値１２I、１４I、１９Iを用いて電流を周波数領域で予測して予測電流値群２７Ｉを算出する。その後、図３０に示すごとく、図２８に示した予測電圧値群２７Ｖ、図２９に示した予測電流値群２７Ｉを用いて予測インピ−ダンス２８を算出する。
【００２３】
そして、予測インピ−ダンス２６と予測インピ−ダンス２８との差の2乗を全ての周波数ポイント積分するなどして、誤差インピ−ダンス値を算出する。ここで、電圧波形、電流波形が定常状態にある場合には、予測電圧値群２４Ｖと予測電圧値群２７Ｖとの差、及び予測電流値群２４Ｉと予測電流群値２７Ｉとの差が非常に小さい値となる。そのため、予測電圧値群２４Ｖ、予測電流値群２４Ｉを用いて算出された予測インピ−ダンス２６の波形と、予測電圧値群２７Ｖ、予測電流値群２７Ｉを用いて算出された予測インピ−ダンス２８の波形とのずれも小さくなり、結果として誤差値が小さくなる。この誤差値が基準値未満である場合には、電圧波形、及び電流波形が定常状態になったものとみなし、電圧、電流に関する予測値、演算値の算出を終了する。
【００２４】
次に、この予測インピ−ダンス２８からＳパラメ−タを算出し、このＳパラメ−タからアンテナの特性評価を行い、この特性評価に基づきアンテナの形状を決定して携帯電話を製造する。このような製造方法、即ち電圧、電流から算出したインピ−ダンスに関する予測インピ−ダンス２６と予測インピ−ダンス２８とを比較して誤差インピ−ダンス値を算出し、この誤差値が基準値未満となった時点を電圧波形、及び電流波形自体が定常状態になった時点とみなし、この時点で電圧、電流に関する予測値、演算値の算出を終了し、モデルの特性評価をする高周波部品の製造方法としたため、電圧値、電流値が過渡状態にある状態での演算値群に基づきその形状を決定してしまうことがなく、必要最低限の演算時間でモデルの特性を評価することができる。
【００２５】
また、Ｓパラメ−タの算出に直接用いるインピ−ダンスを用いて、予測値、演算値の算出終了時点を決定する方法としたため、より最適な特性を有する携高周波部品を製造することができる。その結果として、より最適な特性を有する高周波部品を製造することができる。
【産業上の利用可能性】
【００２６】
本発明の高周波部品の製造方法は、必要最低限の演算時間でモデルの特性評価をすることができるという効果を有し、各種高周波部品において有用である。
【図面の簡単な説明】
【００２７】
【図１】解析空間における仮想の高周波部品の上面図である。
【図２】従来の高周波部品の製造方法を示す時間−電磁エネルギ−図である。
【図３】従来の高周波部品の製造方法を示す時間−電圧図である。
【図４】従来の高周波部品の製造方法を示す時間−電流図である。
【図５】従来の高周波部品の製造方法を示す時間−電圧図である。
【図６】従来の高周波部品の製造方法を示す時間−電流図である。
【図７】従来の高周波部品の製造方法を示す周波数−インピ−ダンス図である。
【図８】本発明の実施の形態１及び本発明の実施の形態２に係る高周波部品の製造方法を示す時間−電圧図である。
【図９】本発明の実施の形態１及び本発明の実施の形態２に係る高周波部品の製造方法を示す時間−電流図である。
【図１０】本発明の実施の形態１に係る高周波部品の製造方法を示す時間−電圧図である。
【図１１】本発明の実施の形態１及び本発明の実施の形態２に係る高周波部品の製造方法を示す時間−電圧図である。
【図１２】本発明の実施の形態１に係る高周波部品の製造方法を示す時間−電流図である。
【図１３】本発明の実施の形態１及び本発明の実施の形態２に係る高周波部品の製造方法を示す時間−電流図である。
【図１４】本発明の実施の形態１に係る高周波部品の製造方法を示す周波数−電圧図である。
【図１５】本発明の実施の形態１に係る高周波部品の製造方法を示す周波数−電流図である。
【図１６】本発明の実施の形態１に係る高周波部品の製造方法を示す周波数−インピ−ダンス図である。
【図１７】本発明の実施の形態１に係る高周波部品の製造方法を示す周波数−インピ−ダンス図である。
【図１８】本発明の実施の形態１及び本発明の実施の形態２に係る高周波部品の製造方法を示す時間−電圧図である。
【図１９】本発明の実施の形態１及び本発明の実施の形態２に係る高周波部品の製造方法を示す時間−電流図である。
【図２０】本発明の実施の形態１に係る高周波部品の製造方法を示す周波数−インピ−ダンス図である。
【図２１】本発明の実施の形態２に係る高周波部品の製造方法を示す時間−電圧図である。
【図２２】本発明の実施の形態２に係る高周波部品の製造方法を示す時間−電流図である。
【図２３】本発明の実施の形態２に係る高周波部品の製造方法を示す周波数−電圧図である。
【図２４】本発明の実施の形態２に係る高周波部品の製造方法を示す周波数−電圧図である。
【図２５】本発明の実施の形態２に係る高周波部品の製造方法を示す周波数−電流図である。
【図２６】本発明の実施の形態２に係る高周波部品の製造方法を示す周波数−電流図である。
【図２７】本発明の実施の形態２に係る高周波部品の製造方法を示す周波数−インピ−ダンス図である。
【図２８】本発明の実施の形態２に係る高周波部品の製造方法を示す周波数−電圧図である。
【図２９】本発明の実施の形態１に係る高周波部品の製造方法を示す周波数−電流図である。
【図３０】本発明の実施の形態２に係る高周波部品の製造方法を示す周波数−インピ−ダンス図である。
【符号の説明】
【００２８】
１…解析空間、
２…アンテナ、
３…時点、
４…時点、
５…エネルギ−演算値群、
５Ｖ…演算電圧値群、
５Ｉ…演算電流値群、
６…エネルギ−予測値群、
７…基準終了値、
８…時点、
９…インピ−ダンス、
１０…時点、
１１…時点、
１２Ｖ…演算電圧値群、
１２Ｉ…演算電流値群、
１３Ｖ…予測電圧値群、
１３Ｉ…予測電流値群、
１４Ｖ…演算電圧値群、
１４Ｉ…演算電流値群、
１５Ｖ…予測電圧値群、
１５Ｉ…予測電流値群、
１６…予測インピ−ダンス、
１７…演算インピ−ダンス、
１８…時点、
１９Ｖ…演算電圧値群、
１９Ｉ…演算電流値群、
２０…演算インピ−ダンス、
２１…予測インピ−ダンス、
２２Ｖ…予測電圧値群、
２２Ｉ…予測電流値群、
２３Ｖ…予測電圧値群、
２３Ｉ…予測電流値群、
２４Ｖ…予測電圧値群、
２４Ｉ…予測電流値群、
２５…予測インピ−ダンス、
２６…予測インピ−ダンス
２７Ｖ…予測電圧値群、
２７Ｉ…予測電流値群、
２８…予測インピ−ダンス。
【図１】
2008263420.tif 000003
【図２】
2008263420.tif 000004
【図３】
2008263420.tif 000005
【図４】
2008263420.tif 000006
【図５】
2008263420.tif 000007
【図６】
2008263420.tif 000008
【図７】
2008263420.tif 000009
【図８】
2008263420.tif 000010
【図９】
2008263420.tif 000011
【図１０】
2008263420.tif 000012
【図１１】
2008263420.tif 000013
【図１２】
2008263420.tif 000014
【図１３】
2008263420.tif 000015
【図１４】
2008263420.tif 000016
【図１５】
2008263420.tif 000017
【図１６】
2008263420.tif 000018
【図１７】
2008263420.tif 000019
【図１８】
2008263420.tif 000020
【図１９】
2008263420.tif 000021
【図２０】
2008263420.tif 000022
【図２１】
2008263420.tif 000023
【図２２】
2008263420.tif 000024
【図２３】
2008263420.tif 000025
【図２４】
2008263420.tif 000026
【図２５】
2008263420.tif 000027
【図２６】
2008263420.tif 000028
【図２７】
2008263420.tif 000029
【図２８】
2008263420.tif 000030
【図２９】
2008263420.tif 000031
【図３０】
2008263420.tif 000032